(57)【要約】【課題】浴槽防水パンの排水口と排水トラップをつなぐ排水管路を、渦流で洗うことができ、排水管路の死水の発生を解消できる排水トラップを提供する。【解決手段】浴槽側に接続された排水ホース６から流入される浴槽排水により、流入室Ｒ１内で渦流が発生するように構成した排水トラップ８において、浴槽が設置された浴槽防水パン上の排水が排水管路７を通り流入室Ｒ１内に流入するように、浴槽防水パン排水流入口１２を設け、この浴槽防水パン排水流入口１２に取り付けたキャップ１５の流入縦孔１５１から渦流が排水管路７内に押し込まれて、排水管路７内の水と渦流が入れ替わり排出横孔１５２から渦流に乗って出てくるように構成する。【選択図】図３
2009091750.tif 000002
【特許請求の範囲】
【請求項１】
浴槽側から流入される浴槽排水により内部で渦流が発生するように構成した排水トラップにおいて、
前記浴槽が設置された浴槽防水パン上の排水が排水管路を通り流入する浴槽防水パン排水流入口を設け、
該浴槽防水パン排水流入口から前記渦流が前記排水管路内に押し込まれるように構成したことを特徴とする排水トラップ。
【請求項２】
前記浴槽防水パン排水流入口にキャップを設け、
該キャップには、前記渦流が流れ込み易い方向に開口された流入孔と、渦流に乗って出てゆく方向に開口された流出孔が形成されていることを特徴とする請求項１に記載の排水トラップ。
【請求項３】
前記請求項１または請求項２に記載の排水トラップを備えた浴室。
【発明の詳細な説明】
【技術分野】
【０００１】
本発明は、浴槽防水パン上に浴槽が設置された浴室における排水トラップに関するものである。
【背景技術】
【０００２】
従来、特許文献１に開示されているように、浴槽からの浴槽排水を内部に流入させて、浴槽排水で内部に渦流を発生させるように構成した排水トラップが存在する。
【特許文献１】特許第３８８６０５５号公報
【発明の開示】
【発明が解決しようとする課題】
【０００３】
上記排水トラップの構造において、浴槽が設置された浴槽防水パン上に溜まる排水を排水トラップに流入させるために、浴槽防水パンから排水管路を通して排水トラップ内に浴槽防水パンの排水を流入させる構造にすると、浴槽防水パンからの排水管路内に死水が溜まり易く、排水管路内の死水が腐る等して悪臭を放ったり不衛生になり易いという問題点があった。
【課題を解決するための手段】
【０００４】
本発明は、浴槽防水パン上に溜まる排水を排水トラップ内に流入させる排水管路内に死水が溜まることを良好に防ぐことのできる排水トラップ及びこの排水トラップを備えた浴室を提供することを目的の１つとし、上述の目的の少なくとも一部を達成するために以下の手段を採った。
本発明は、浴槽側から流入される浴槽排水により内部で渦流が発生するように構成した排水トラップにおいて、前記浴槽が設置された浴槽防水パン上の排水が排水管路を通り流入する浴槽防水パン排水流入口を設け、該浴槽防水パン排水流入口から前記渦流が前記排水管路内に押し込まれるように構成したことを要旨とする。
【発明の効果】
【０００５】
本発明の排水トラップでは、浴槽側からの排水を排水トラップ内で渦流にさせ、この渦流を浴槽防水パン排水流入口に押し込んで、渦流を排水管路内に入れ、排水管路内の排水を良好に入れ替えることができ、排水管路内に死水が生ずることがないものとなる。
【０００６】
また、本発明の排水トラップは、前記浴槽防水パン排水流入口にキャップを設け、該キャップには、前記渦流が流れ込み易い方向に開口された流入孔と、渦流に乗って出てゆく方向に開口された流出孔が形成されている構成とすることもできる。
こうすれば、排水トラップに形成されている浴槽防水パン排水流入口にキャップを取り付けることで、キャップの流入孔から排水トラップ内で生じた渦流を排水管路内に押し込むことができ、排水管路内の排水と渦流を良好に入れ替えて、キャップの流出孔から渦流に乗せて排水管路内の死水を良好に排水トラップ内に入れることができ、渦流が起こる度に排水管路内の排水を良好に入れ替えて、排水管路内の死水を無くすことができるものとなる。
【０００７】
また、本発明の排水トラップを備えた浴室では、浴槽の排水を利用して良好に浴槽防水パン上から排水トラップに至る排水管路内の水を入れ替えることができ、浴槽防水パン排水流入口に至る排水管路内に死水が生ずることがなく、悪臭が出たり不衛生になることを良好に防ぐことができるものとなる。
【発明を実施するための最良の形態】
【０００８】
次に、本発明の実施の形態を実施例を用いて説明する。
図１は、浴室の概略斜視構成図であり、浴室１は、洗い場を形成する洗い場パン２と浴槽防水パン３が連結されており、浴槽防水パン３上に浴槽４が設置され、浴槽４の洗い場パン２側にエプロン５が立設されて構成されている。
なお、浴槽防水パン３は、洗い場側を除く外周に立ち壁３ａが一体形成されたものである。
浴槽４の底側には浴槽排水口４ａが開口されており、この浴槽排水口４ａから排水ホース６を通って、洗い場パン２の底側に設けられた排水トラップ８内に浴槽排水が流入されるものである。
また、浴槽防水パン３上に溜まる排水を排水トラップ８内に流入させるために、浴槽防水パン３には逆止弁付きの浴槽防水パン排水口３ｂが設けられており、この浴槽防水パン排水口３ｂから排水管路７を通して浴槽防水パン３上の排水を排水トラップ８内に流入させることができるように構成されている。
なお、排水トラップ８の流出口８ｅには、排出管１３が接続されており、排出管１３は下水管に連通接続されるものである。
【０００９】
排水トラップ８は、図２に斜視図で、また、図３で水平に切断した平面構成を示すような構造となっている。
排水トラップ８の天面８ａ側には、洗い場からの排水が流入される洗い場排水流入口９が開口されており、この洗い場排水流入口９内には、髪の毛等を取り除くためのヘアキャッチャー１０が装着されている。
排水トラップ８の内部は、天面８ａから垂設された平面湾曲状の遮蔽部材８ｂにより、流入室Ｒ１と流出室Ｒ２に仕切られており、流入室Ｒ１の内周面８ｃは遮蔽部材８ｂと連続した曲面に形成されて、内周面８ｃには浴槽排水流入口１１が縦長状に開口され、この浴槽排水流入口１１には外側へ連続して突出する接続部１１ａが形成されている。この接続部１１ａに、浴槽排水口４ａとをつなぐ排水ホース６が接続されるものである。
【００１０】
また、流入室Ｒ１の内周面８ｃの浴槽排水流入口１１の下流域には、浴槽防水パン排水流入口１２が開口されており、この浴槽防水パン排水流入口１２には、外側へ突出して接続部１２ａが形成され、この接続部１２ａに、浴槽防水パンの浴槽防水パン排水口３ｂとをつなぐ排水管路７が接続されるものである。
なお、排水トラップ８内の流出室Ｒ２の出口側には封水壁８ｄが形成されており、その下流側に流出口８ｅが形成されている。
【００１１】
なお、本例では、浴槽防水パン排水流入口１２にキャップ１５が嵌め込まれて取り付けられている。
このキャップ１５の浴槽防水パン排水流入口１２への取り付け前の分解斜視図を図４に示し、キャップ１５を浴槽防水パン排水流入口１２に取り付けた状態は図５の斜視図に示す。
なお、図６及び図７は、キャップ１５を異なる方向から見た斜視図であり、また図８は、キャップ１５のつまみ部側を破断した内部構造の斜視図である。
【００１２】
キャップ１５は、浴槽防水パン排水流入口１２内に差し込むことのできる円筒状の差込み筒部１５ａを有し、差込み筒部１５ａの内端面は排水トラップの内周面８ｃと同じ湾曲状の湾曲面１５ｂとなっており、この湾曲面１５ｂから内側へ水平に突出して指でつまむことのできるつまみ部１５ｃが一体形成され、つまみ部１５ｃの湾曲面１５ｂ側の端付近には縦方向に流入縦孔１５１が開口されており、この流入縦孔１５１の下端側からつまみ部１５ｃの下面に亘って垂下片１５ｄが一体形成されている。
【００１３】
また、差込み筒部１５ａ内には、略水平な板状の仕切り片１５ｅが一体形成されており、この仕切り片１５ｅの上方側の差込み筒部１５ａ内に上方側の通路が形成され、仕切り片１５ｅの下方側に下側の通路が形成されており、この下側の通路の垂下片１５ｄ側に横方向に開口して流出横孔１５２が形成されている。
即ち、キャップ１５を排水トラップ８の浴槽防水パン排水流入口１２に内側から差し込んで取り付けた状態では、湾曲面１５ｂが排水トラップの内周面８ｃと面一状の連続した湾曲面となり、キャップ１５の流入縦孔１５１が浴槽排水流入口１１側を向いて開口され、流出横孔１５２は反対側の下方に逆向きに開口されるものとなる。
なお、図９では、キャップ１５を浴槽防水パン排水流入口１２に嵌め込んだ状態の縦断面拡大構成図を示す。
【００１４】
次に、このように構成された排水トラップ８の作用効果を説明する。
浴槽底面の浴槽排水口４ａが開かれると、浴槽４内の浴槽水が一気に排水ホース６を通って排水トラップ８の浴槽排水流入口１１から流入室Ｒ１内に流入され、浴槽排水流入口１１から勢い良く流入室Ｒ１内に流入された浴槽排水は、内周面８ｃ及び遮蔽部材８ｂの湾曲面に沿って旋回し内部で渦流が発生される。
浴槽防水パン排水流入口１２に取り付けられているキャップ１５の流入縦孔１５１は、渦流の向きに対して開口しているため、渦流が流れ込み易く、加えて、縦方向に開口されているため、渦流はキャップの流入縦孔１５１内からキャップの差込み筒部１５ａ内に押し込まれ、仕切り片１５ｅの上方側を通って接続部１２ａから更に排水管路７内に渦流が押し込まれることとなる。
排水管路７内に押し込まれた渦流は、勢いがあるため浴槽防水パン排水口３ｂ付近まで達するが、この浴槽防水パン排水口３ｂには逆止弁が設けられているため、渦流が浴槽防水パン３内に流れ込むことはない。
【００１５】
浴槽防水パン排水口３ｂ付近まで押し込まれた渦流は、排水管路７内の底側を通って重力で浴槽防水パン排水流入口１２へ戻されてくるが、この戻されてくる排水は仕切り片１５ｅの下側を通り流出横孔１５２から排水トラップ８内に戻される。
なお、この流出横孔１５２は渦流の流れ方向に向かって流入縦孔１５１とは反対側に開口されているため、流入室Ｒ１内の渦流に乗って良好に流出横孔１５２から排水が流入室Ｒ１内に戻されてゆく。なお、渦流は垂下片１５ｄで堰き止められて流出横孔１５２内に流入することが防がれている。
【００１６】
従って、流入室Ｒ１内で発生した渦流は、キャップの流入縦孔１５１から排水管路７内に押し込まれて、排水管路７内に溜まっている水と良好に入れ替わり、流出横孔１５２から渦流に乗って流入室Ｒ１内に流し込まれるものであり、排水管路７内は渦流が発生する度に、渦流が流れ込んで内部に溜まっている水が入れ替わることとなり、排水管路７内に長期間排水が溜まって、その排水が腐る等して悪臭を放ったり不衛生な状態となることが良好に防がれることとなり、このような排水管路７内での死水の発生を良好に解消することができるものとなる。
【図面の簡単な説明】
【００１７】
【図１】浴室の概略斜視構成図である。
【図２】排水トラップの外観斜視図である。
【図３】排水トラップを水平面内で切断した平面構成図である。
【図４】排水トラップの側面に開口されている浴槽防水パン排水流入口にキャップを取り付ける前の斜視構成図である。
【図５】キャップを取り付けた状態の斜視構成図である。
【図６】キャップの斜視構成図である。
【図７】キャップを違う方向から見た斜視構成図である。
【図８】キャップの内側を破断して内部を示す破断斜視構成図である。
【図９】キャップの取付状態の縦断面構成図である。
【符号の説明】
【００１８】
１  浴室
２  洗い場パン
３  浴槽防水パン
３ａ  立ち壁
３ｂ  浴槽防水パン排水口
４  浴槽
４ａ  浴槽排水口
５  エプロン
６  排水ホース
７  排水管路
８  排水トラップ
８ａ  天面
８ｂ  遮蔽部材
８ｃ  内周面
８ｅ  流出口
９  洗い場排水流入口
１０  ヘアキャッチャー
１１  浴槽排水流入口
１１ａ  接続部
１２  浴槽防水パン排水流入口
１２ａ  接続部
１３  排出管
１５  キャップ
１５ａ  差込み筒部
１５ｂ  湾曲面
１５ｃ  つまみ部
１５ｄ  垂下片
１５ｅ  仕切り片
１５１  流入縦孔
１５２  流出横孔
【図１】
2009091750.tif 000003
【図２】
2009091750.tif 000004
【図３】
2009091750.tif 000005
【図４】
2009091750.tif 000006
【図５】
2009091750.tif 000007
【図６】
2009091750.tif 000008
【図７】
2009091750.tif 000009
【図８】
2009091750.tif 000010
【図９】
2009091750.tif 000011